(57)【特許請求の範囲】
【請求項１】
相互に組み合わされる第１の務歯列及び第２の務歯列を有する務歯構造と組み合わせて位置決め効果を向上させるための閉鎖時に務歯が隠れるファスナーヘッド組み合わせ構造であって、
基底部と、それぞれ前記基底部の対向する２つの側端から上向きに延在されると共に前記基底部の前端部に互いに対応して接続されている第１の側止部及び第２の側止部と、前記基底部上に設けられると共に前記基底部の後端部に接続されており、前記第１の側止部と前記第２の側止部との間に位置する貫通式位置決め開口を有しているベース部と、移動自在に前記ベース部上に設けられており、一方の末端に、前記貫通式位置決め開口を貫通し、前記第１の務歯列の第１の務歯が前記第２の務歯列の２つの前記第２の務歯の間に係止固定されることによって形成された間隙に挿入する位置決め部を有するフック部材とを有する、スライダーと、
移動自在に前記フック部材と相互に組み合わされる引き手と、
を含み、
前記第１の側止部が第１の内表面及び前記第１の内表面と互いに対向して設けられた第１の外表面を有しており、前記第２の側止部が前記第１の内表面と互いに対応する第２の内表面及び前記第２の内表面と互いに対向して設けられた第２の外表面を有しており、前記第１の側止部における前記第１の内表面と前記第１の外表面との間の第１の厚さが、前記第２の側止部における前記第２の内表面と前記第２の外表面との間の第２の厚さよりも小さく、
前記基底部が第１の対称中心線を有しており、前記ベース部が第２の対称中心線を有しており、前記第１の対称中心線が前記貫通式位置決め開口の幾何中心点を通り、前記ベース部の前記第２の対称中心線が、前記第１の対称中心線に対して、前記第２の側止部から前記第１の側止部に向かう水平方向に沿って所定水平位置ずれ量だけ水平に位置ずれする、
ことを特徴とする閉鎖時に務歯が隠れるファスナーヘッド組み合わせ構造。
【請求項２】
前記ベース部の前記第２の対称中心線の前記第１の対称中心線に対する前記所定水平位置ずれ量は、下記関係式を満たし、
Ｓ＝（Ｈ２−Ｈ１）／２
（ここで、Ｓは前記所定水平位置ずれ量、Ｈ１は前記第１の厚さ、Ｈ２は前記第２の厚さをそれぞれ表す）
前記第１の側止部における前記第１の外表面及び前記第２の側止部における前記第２の外表面は、前記第１の対称中心線に対して互いに対称に設けられ、
前記第１の側止部における前記第１の内表面及び前記第２の側止部における前記第２の内表面は、前記第２の対称中心線に対して互いに対称に設けられ、
前記フック部材の前記位置決め部の１つの側面は、前記位置決め部が前記第２の対称中心線から離れて前記第１の対称中心線に寄るように、前記水平方向とは逆方向に沿って凹む回避端を有する、
ことを特徴とする請求項１に記載の閉鎖時に務歯が隠れるファスナーヘッド組み合わせ構造。
【請求項３】
前記第１の側止部における前記第１の内表面は、第１の主要内表面と第１の副次内表面とに区分され、
前記第２の側止部における前記第２の内表面は、前記第１の主要内表面と向かい合う第２の主要内表面と、前記第１の副次内表面と向かい合う第２の副次内表面とに区分され、
前記第１の側止部における前記第１の主要内表面と前記第１の外表面との間の第１の主要厚さは、前記第２の側止部における前記第２の主要内表面と前記第２の外表面との間の第２の主要厚さよりも小さく、
前記第１の側止部における前記第１の副次内表面と前記第１の外表面との間の第１の副次厚さは、前記第２の側止部における前記第２の副次内表面と前記第２の外表面との間の第２の副次厚さよりも小さい、
ことを特徴とする請求項１に記載の閉鎖時に務歯が隠れるファスナーヘッド組み合わせ構造。
【請求項４】
相互に組み合わされる第１の務歯列及び第２の務歯列を有する閉鎖時に務歯が隠れるファスナーと組み合わせて位置決め効果を向上させるためのスライダーであって、
基底部と、
それぞれ前記基底部の対向する２つの側端から上向きに延在されると共に前記基底部の前端部に互いに対応して接続されている第１の側止部及び第２の側止部と、
前記基底部上に設けられると共に前記基底部の後端部に接続されており、前記第１の側止部と前記第２の側止部との間に位置する貫通式位置決め開口を有しているベース部と、
移動自在に前記ベース部上に設けられており、一方の末端に、前記貫通式位置決め開口を貫通し、前記第１の務歯列の第１の務歯が前記第２の務歯列の２つの前記第２の務歯の間に係止固定されることによって形成された間隙に挿入する位置決め部を有するフック部材と、
を含み、
前記第１の側止部が第１の内表面及び前記第１の内表面と互いに対向して設けられた第１の外表面を有しており、前記第２の側止部が前記第１の内表面と互いに対応する第２の内表面及び前記第２の内表面と互いに対向して設けられた第２の外表面を有しており、前記第１の側止部における前記第１の内表面と前記第１の外表面との間の第１の厚さが、前記第２の側止部における前記第２の内表面と前記第２の外表面との間の第２の厚さよりも小さく、
前記基底部が第１の対称中心線を有しており、前記ベース部が第２の対称中心線を有しており、前記第１の対称中心線が前記貫通式位置決め開口の幾何中心点を通り、前記ベース部の前記第２の対称中心線が、前記第１の対称中心線に対して、前記第２の側止部から前記第１の側止部に向かう水平方向に沿って所定水平位置ずれ量だけ水平に位置ずれする、
ことを特徴とするスライダー。
【請求項５】
前記ベース部の前記第２の対称中心線の前記第１の対称中心線に対する前記所定水平位置ずれ量は、下記関係式を満たし、
Ｓ＝（Ｈ２−Ｈ１）／２
（ここで、Ｓは前記所定水平位置ずれ量、Ｈ１は前記第１の厚さ、Ｈ２は前記第２の厚さをそれぞれ表す）
前記第１の側止部における前記第１の外表面及び前記第２の側止部における前記第２の外表面は、前記第１の対称中心線に対して互いに対称に設けられ、
前記第１の側止部における前記第１の内表面及び前記第２の側止部における前記第２の内表面は、前記第２の対称中心線に対して互いに対称に設けられ、
前記フック部材の前記位置決め部の１つの側面は、前記位置決め部が前記第２の対称中心線から離れて前記第１の対称中心線に寄るように、前記水平方向とは逆方向に沿って凹む回避端を有する、
ことを特徴とする請求項４に記載のスライダー。
【請求項６】
前記第１の側止部における前記第１の内表面は、第１の主要内表面と第１の副次内表面とに区分され、
前記第２の側止部における前記第２の内表面は、前記第１の主要内表面と向かい合う第２の主要内表面と、前記第１の副次内表面と向かい合う第２の副次内表面とに区分され、
前記第１の側止部における前記第１の主要内表面と前記第１の外表面との間の第１の主要厚さは、前記第２の側止部における前記第２の主要内表面と前記第２の外表面との間の第２の主要厚さよりも小さく、
前記第１の側止部における前記第１の副次内表面と前記第１の外表面との間の第１の副次厚さは、前記第２の側止部における前記第２の副次内表面と前記第２の外表面との間の第２の副次厚さよりも小さい、
ことを特徴とする請求項４に記載のスライダー。
【請求項７】
相互に組み合わされる第１の務歯列及び第２の務歯列を有する務歯構造に設けられる、位置決め効果を向上させるための閉鎖時に務歯が隠れるファスナーヘッド組み合わせ構造であって、
基底部と、それぞれ前記基底部の対向する２つの側端から上向きに延在されると共に前記基底部の前端部に互いに対応して接続されている第１の側止部及び第２の側止部と、前記基底部上に設けられると共に前記基底部の後端部に接続されており、前記第１の側止部と前記第２の側止部との間に位置する貫通式位置決め開口を有しているベース部と、移動自在に前記ベース部上に設けられており、一方の末端に、前記貫通式位置決め開口を貫通する位置決め部を有するフック部材とを有する、スライダーと、
移動自在に前記フック部材と相互に組み合わされる引き手と、
を含み、
前記第１の側止部が第１の内表面及び前記第１の内表面と互いに対向して設けられた第１の外表面を有しており、前記第２の側止部が前記第１の内表面と互いに対応する第２の内表面及び前記第２の内表面と互いに対向して設けられた第２の外表面を有しており、前記第１の側止部における前記第１の内表面と前記第１の外表面との間の第１の厚さが、前記第２の側止部における前記第２の内表面と前記第２の外表面との間の第２の厚さよりも小さく、
前記基底部が第１の対称中心線を有しており、前記ベース部が第２の対称中心線を有しており、前記第１の対称中心線が前記貫通式位置決め開口の幾何中心点を通り、前記ベース部の前記第２の対称中心線が、前記第１の対称中心線に対して、前記第２の側止部から前記第１の側止部に向かう水平方向に沿って所定水平位置ずれ量だけ水平に位置ずれし、
前記第１の務歯列は、第１の務歯保持部材及び前記第１の務歯保持部材に固定された複数の第１の務歯を含み、前記第２の務歯列は、第２の務歯保持部材及び前記第２の務歯保持部材に固定された複数の第２の務歯を含み、前記第１の務歯は、前記位置決め部が挿入される間隙が形成されるように、２つの前記第２の務歯の間に係止固定される、
ことを特徴とする閉鎖時に務歯が隠れるファスナーヘッド組み合わせ構造。
【請求項８】
前記ベース部の前記第２の対称中心線の前記第１の対称中心線に対する前記所定水平位置ずれ量は、下記関係式を満たし、
Ｓ＝（Ｈ２−Ｈ１）／２
（ここで、Ｓは前記所定水平位置ずれ量、Ｈ１は前記第１の厚さ、Ｈ２は前記第２の厚さをそれぞれ表す）
前記第１の側止部における前記第１の外表面及び前記第２の側止部における前記第２の外表面は、前記第１の対称中心線に対して互いに対称に設けられ、
前記第１の側止部における前記第１の内表面及び前記第２の側止部における前記第２の内表面は、前記第２の対称中心線に対して互いに対称に設けられる、
ことを特徴とする請求項７に記載の閉鎖時に務歯が隠れるファスナーヘッド組み合わせ構造。
【請求項９】
前記フック部材の前記位置決め部の１つの側面は、前記位置決め部が前記第２の対称中心線から離れて前記第１の対称中心線に寄るように、前記水平方向とは逆方向に沿って凹む回避端を有する、
ことを特徴とする請求項７に記載の閉鎖時に務歯が隠れるファスナーヘッド組み合わせ構造。
【請求項１０】
前記第１の側止部における前記第１の内表面は、第１の主要内表面と第１の副次内表面とに区分され、
前記第２の側止部における前記第２の内表面は、前記第１の主要内表面と向かい合う第２の主要内表面と、前記第１の副次内表面と向かい合う第２の副次内表面とに区分され、
前記第１の側止部における前記第１の主要内表面と前記第１の外表面との間の第１の主要厚さは、前記第２の側止部における前記第２の主要内表面と前記第２の外表面との間の第２の主要厚さよりも小さく、
前記第１の側止部における前記第１の副次内表面と前記第１の外表面との間の第１の副次厚さは、前記第２の側止部における前記第２の副次内表面と前記第２の外表面との間の第２の副次厚さよりも小さい、
ことを特徴とする請求項７に記載の閉鎖時に務歯が隠れるファスナーヘッド組み合わせ構造。
【発明の詳細な説明】
【技術分野】
【０００１】
本発明は、コンシールファスナーヘッド組み合わせ構造及びそのスライダーに関し、特に位置決め効果を向上させるためのコンシールファスナーヘッド組み合わせ構造及びそのスライダーに関する。
【背景技術】
【０００２】
通常、服装の基本的な留め具としては、ボタンやファスナー構造が用いられる。ボタンに比べ、ファスナー構造は、より好ましい使用性と、より丈夫な構造特性とを有する。一般的に、ファスナー構造は、ファスナーヘッド及びファスナーテープを有する。ファスナーヘッドは、主としてファスナーテープと組み合わされることでファスナー構造を往復運動させる連結素子として用いられる。これにより、ファスナー構造を服飾及びその付属品に応用することは、将来的に更に普及することが見込まれている。しかしながら、従来、ファスナーヘッドをファスナーテープに位置決める位置決め効果は好ましくない問題があった。従って、本技術分野においては、構造を改良することで、如何にしてファスナーヘッドをファスナーテープに位置決める位置決め効果を向上させるかが、解決の待たれる重要な課題となっている。
【発明の概要】
【発明が解決しようとする課題】
【０００３】
本発明は、位置決め効果を向上させるためのコンシールファスナーヘッド組み合わせ構造及びそのスライダーを提供する。
【課題を解決するための手段】
【０００４】
本発明に係る実施例において、位置決め効果を向上させるためのコンシールファスナーヘッド組み合わせ構造は、スライダー及び引き手を含む。スライダーは、基底部、第１の側止部、第２の側止部、ベース部及びフック部材を有する。第１の側止部及び第２の側止部は、それぞれ基底部の対向する２つの側端から上向きに延在されると共に、基底部の前端部に互いに対応して接続される。ベース部は、基底部上に設けられると共に基底部の後端部に接続されており、第１の側止部と第２の側止部との間に位置する貫通式位置決め開口を有する。フック部材は、移動自在にベース部に設けられると共に、一方の末端に、貫通式位置決め開口を貫通する位置決め部を有する。引き手は、移動自在にフック部材と相互に組み合わされる。第１の側止部は、第１の内表面及び第１の内表面と互いに対向して設けられた第１の外表面を有しており、第２の側止部は、第１の内表面と互いに対応する第２の内表面及び第２の内表面と互いに対向して設けられた第２の外表面を有しており、第１の側止部における第１の内表面と第１の外表面との間の第１の厚さは、第２の側止部における第２の内表面と第２の外表面との間の第２の厚さよりも小さい。基底部は第１の対称中心線を有しており、ベース部は第２の対称中心線を有しており、第１の対称中心線は貫通式位置決め開口の幾何中心点を通り、ベース部の第２の対称中心線は、第１の対称中心線に対して、第２の側止部から第１の側止部に向かう水平方向に沿って所定水平位置ずれ量だけ水平に位置ずれする。
【発明の効果】
【０００５】
本発明は、第１の側止部における第１の内表面と第１の外表面との間の第１の厚さが、第２の側止部における第２の内表面と第２の外表面との間の第２の厚さよりも小さく、且つ、第１の対称中心線が貫通式位置決め開口の幾何中心点を通ると共に、ベース部の第２の対称中心線が第１の対称中心線に対して、第２の側止部から第１の側止部に向かう水平方向に沿って、所定水平位置ずれ量だけ水平に位置ずれする構成としたことにより、務歯構造全体が第１の側止部側に若干位置ずれすることから、貫通式位置決め開口が、遮蔽されることなく、間隙に正確に位置合わせされることができる。従って、位置決め部が貫通式位置決め開口を通って間隙内に係止固定されると、コンシールファスナーヘッド組み合わせ構造は、位置決め部と間隙との組み合わせによって正確に務歯構造に位置決めされることができる。
【図面の簡単な説明】
【０００６】
【図１】本発明に係るスライダーを示す斜視図である。
【図２】図１のＡ−Ａ線の断面図である。
【図３】本発明に係るスライダーを示す正面図である。
【図４】本発明のフック部材を示す斜視図である。
【図５】本発明に係るコンシールファスナーヘッド組み合わせ構造を示す斜視図である。
【図６】本発明に係るコンシールファスナーヘッド組み合わせ構造が務歯構造において摺動する状態を示す上面図である。
【図７】本発明の位置決め部が間隙内に挿入された状態を示す拡大図である。
【発明を実施するための形態】
【０００７】
図１乃至図４に示すように、本発明に係る位置決め効果を向上させるためのスライダー１（またはファスナーヘッドという）は、基底部１０、第１の側止部１１、第２の側止部１２、ベース部１３及びフック部材１４を含む。
【０００８】
まず、図１、図２及び図３に示すように、第１の側止部１１及び第２の側止部１２は、それぞれ基底部１０の対向する２つの側端から上向きに延在されると共に、基底部１０の前端部１０１に互いに対応して接続される。ベース部１３は、基底部１０上に設けられると共に基底部１０の後端部１０２に接続されており、第１の側止部１１と第２の側止部１２との間に位置する貫通式位置決め開口１３０を有する。フック部材１４は、移動自在にベース部１３上に設けられると共に、一方の末端に、貫通式位置決め開口１３０を貫通する位置決め部１４０を有する。例えば、フック部材１４は、枢支するようにベース部１３上に設けられてもよい。
【０００９】
更に、図２及び図３に示すように、第１の側止部１１は、第１の内表面１１１と、第１の内表面１１１と互いに対向して設けられた第１の外表面１１２とを有する。また、第２の側止部１２は、第１の内表面１１１と互いに対応する第２の内表面１２１と、第２の内表面１２１と互いに対向して設けられた第２の外表面１２２とを有する。また、第１の側止部１１における第１の内表面１１１と第１の外表面１１２との間の第１の厚さＨ１は、第２の側止部１２における第２の内表面１２１と第２の外表面１２２との間の第２の厚さＨ２よりも小さい。
【００１０】
更に言えば、図２及び図３に示すように、第１の側止部１１における第１の内表面１１１は、第１の主要内表面１１１１と第１の副次内表面１１１２とに区分される。また、第２の側止部１２における第２の内表面１２１は、第１の主要内表面１１１１と向かい合う第２の主要内表面１２１１と、第１の副次内表面１１１２と向かい合う第２の副次内表面１２１２とに区分される。図２又は図３に示すように、第１の側止部１１における第１の主要内表面１１１１と第１の外表面１１２との間の第１の主要厚さＨ１１は、第２の側止部１２における第２の主要内表面１２１１と第２の外表面１２２との間の第２の主要厚さＨ２１よりも小さい。また、図２又は図３に示すように、第１の側止部１１における第１の副次内表面１１１２と第１の外表面１１２との間の第１の副次厚さＨ１２は、第２の側止部１２における第２の副次内表面１２１２と第２の外表面１２２との間の第２の副次厚さＨ２２よりも小さい。
【００１１】
更に言えば、図２及び図３に示すように、基底部１０は第１の対称中心線Ｌ１を有し、ベース部１３は第２の対称中心線Ｌ２を有する。第１の対称中心線Ｌ１は、貫通式位置決め開口１３０の幾何中心点Ｐを通る（図２を参照）。そしてベース部１３の第２の対称中心線Ｌ２は、第１の対称中心線Ｌ１に対して、第２の側止部１２から第１の側止部１１に向かう水平方向に沿って、所定水平位置ずれ量Ｓだけ水平に位置ずれする。例えば、ベース部１３の第２の対称中心線Ｌ２の第１の対称中心線Ｌ１に対する所定水平位置ずれ量Ｓは、下記式を満たすものであってよい。
Ｓ＝（Ｈ２−Ｈ１）／２
ここで、Ｓは所定水平位置ずれ量を、Ｈ１は第１の厚さを、Ｈ２は第２の厚さをそれぞれ表す。
【００１２】
図２又は図３に示すように、第１の対称中心線Ｌ１を対称基準線とした場合、第１の側止部１１における第１の外表面１１２及び第２の側止部１２における第２の外表面１２２は、第１の対称中心線Ｌ１に対して互いに対称に設けられる。また、第２の対称中心線Ｌ２を対称基準線とした場合、第１の側止部１１における第１の内表面１１１の第１の主要内表面１１１１及び第２の側止部１２における第２の内表面１２１の第２の主要内表面１２１１は、第２の対称中心線Ｌ２に対して互いに対称に設けられ、或いは第１の側止部１１における第１の内表面１１１の第１の副次内表面１１１２及び第２の側止部１２における第２の内表面１２１の第２の副次内表面１２１２は、第２の対称中心線Ｌ２に対して互いに対称に設けられる。更に、図２、図３及び図４に示すように、フック部材１４の位置決め部１４０の１つの側面は、位置決め部１４０が第２の対称中心線Ｌ２から離れて第１の対称中心線Ｌ１に寄るように、水平方向とは逆方向に沿って凹む回避端１４００を有する（図３を参照）。
【００１３】
図５乃至図７に示すように、本発明に係る位置決め効果を向上させるためのコンシールファスナーヘッド組み合わせ構造Ｚは、相互に組み合わされる第１の務歯列３１及び第２の務歯列３２を有する務歯構造３（またはファスナーテープという）上に設けられ、スライダー１及び引き手２（またはプルという）を含む。
【００１４】
図１、図５及び図６に示すように、スライダー１は、基底部１０、第１の側止部１１、第２の側止部１２、ベース部１３及びフック部材１４を有する。第１の側止部１１及び第２の側止部１２は、それぞれ基底部１０の対向する２つの側端から上向きに延在されると共に、基底部１０の前端部１０１に互いに対応して接続される。ベース部１３は、基底部１０上に設けられると共に基底部１０の後端部１０２に接続されており、第１の側止部１１と第２の側止部１２との間に位置する貫通式位置決め開口１３０を有する。フック部材１４は、移動自在にベース部１３上に設けられると共に、一方の末端に、貫通式位置決め開口１３０を貫通する位置決め部１４０を有する。引き手２は、移動自在にフック部材１４と相互に組み合わされる。例えば、引き手２は、一方の末端部２０に、移動自在にフック部材１４と相互に組み合わされる遊動部材２１を有する。
【００１５】
更に言えば、図６及び図７に示すように、第１の務歯列３１は、第１の務歯保持部材３１０及び第１の務歯保持部材３１０に固定された複数の第１の務歯３１１を含む。第２の務歯列３２は、第２の務歯保持部材３２０及び第２の務歯保持部材３２０に固定された複数の第２の務歯３２１を含む。また、図７に示すように、各第１の務歯３１１は、隣接する２つの第２の務歯３２１の間に係止固定される。１つの第１の務歯３１１が２つの第２の務歯３２１の間に係止固定されることで間隙ｇが形成されると、間隙ｇは、位置決め部１４０が挿入されるのに用いることができる。従って、コンシールファスナーヘッド組み合わせ構造Ｚは、位置決め部１４０と間隙ｇとの組み合わせによって正確に務歯構造３に位置決めされることができる。
【００１６】
＜実施例の奏し得る効果＞
このように、本発明は、次の通りの有益な効果を有する。即ち、図２に示すように、本発明は、第１の側止部１１における第１の内表面１１１と第１の外表面１１２との間の第１の厚さＨ１が、第２の側止部１２における第２の内表面１２１と第２の外表面１２２との間の第２の厚さＨ２よりも小さく、且つ、第１の対称中心線Ｌ１が貫通式位置決め開口１３０の幾何中心点Ｐを通ると共に、ベース部１３の第２の対称中心線Ｌ２が第１の対称中心線Ｌ１に対して、第２の側止部１２から第１の側止部１１に向かう水平方向に沿って、所定水平位置ずれ量Ｓだけ水平に位置ずれする構成としたことにより、務歯構造３全体が第１の側止部１１側に若干位置ずれすることから、貫通式位置決め開口１３０が、遮蔽されることなく、間隙ｇに正確に位置合わせされることができる。従って、図７に示すように、位置決め部１４０が貫通式位置決め開口１３０を通って間隙ｇ内に挿入されると、コンシールファスナーヘッド組み合わせ構造Ｚは、位置決め部１４０と間隙ｇとの組み合わせによって正確に務歯構造３に位置決めされることができる。
【００１７】
上記は本発明の好ましい実施例に過ぎず、本発明の範囲を限定するものではない。従って、本発明の明細書及び図面の内容を運用した等価の技術的変更はすべて本発明の範囲に含まれる。
【符号の説明】
【００１８】
Ｚ  コンシールファスナーヘッド組み合わせ構造
１  スライダー
１０  基底部
１０１  前端部
１０２  後端部
１１  第１の側止部
１１１  第１の内表面
１１１１  第１の主要内表面
１１１２  第１の副次内表面
１１２  第１の外表面
１２  第２の側止部
１２１  第２の内表面
１２１１  第２の主要内表面
１２１２  第２の副次内表面
１２２  第２の外表面
１３  ベース部
１３０  貫通式位置決め開口
１４  フック部材
１４０  位置決め部
１４００  回避端
２  引き手
２０  末端部
２１  遊動部材
３  務歯構造
３１  第１の務歯列
３１０  第１の務歯保持部材
３１１  第１の務歯
３２  第２の務歯列
３２０  第２の務歯保持部材
３２１  第２の務歯
Ｈ１  第１の厚さ
Ｈ１１  第１の主要厚さ
Ｈ１２  第１の副次厚さ
Ｈ２  第２の厚さ
Ｈ２１  第２の主要厚さ
Ｈ２２  第２の副次厚さ
Ｌ１  第１の対称中心線
Ｌ２  第２の対称中心線
Ｐ  幾何中心点
Ｓ  所定水平位置ずれ量
ｇ  間隙
【図１】
0006002806.tif 000002
【図２】
0006002806.tif 000003
【図３】
0006002806.tif 000004
【図４】
0006002806.tif 000005
【図５】
0006002806.tif 000006
【図６】
0006002806.tif 000007
【図７】
0006002806.tif 000008